(57)【要約】【課題】遠心ファンとファンケースとの相対的な回転運動を利用して遠心ファンの吐出側から遠心ファンとファンカバーとを隔てる隙間を通じて遠心ファンの吸込側へ向かう空気の逆流を抑制し、吸込性能の低下をより抑制可能な電動送風機を提案する。【解決手段】電動送風機１は、遠心ファン６と、隙間１２を隔てて遠心ファン６を覆うとともに遠心ファン６に空気を案内する第二吸込口１６を有するファンカバー１７と、隙間１２に位置して遠心ファン６の回転中心線Ｃに対して径方向へ延びつつ周方向へ湾曲するシールリブ１３と、を備える。【選択図】  図１
2013113206.tif 000002
【特許請求の範囲】
【請求項１】
羽根車と、
隙間を隔てて前記羽根車を覆うとともに前記羽根車に空気を案内する入口を有するファンカバーと、
前記隙間に位置して前記羽根車の回転中心線に対して径方向へ延びつつ湾曲するシールリブと、を備えることを特徴とする電動送風機。
【請求項２】
前記シールリブは、前記羽根車の回転にともない前記入口側から前記羽根車の吐出側へ向かう空気流を生じる方向へ湾曲することを特徴とする請求項１に記載の電動送風機。
【請求項３】
前記シールリブは、前記ファンカバーから突出して前記羽根車の回転中心側から離れるにしたがい前記羽根車の回転する方向へ延びることを特徴とする請求項１または２に記載の電動送風機。
【請求項４】
前記シールリブは、螺旋形状に延びることを特徴とする請求項１から３のいずれか１項に記載の電動送風機。
【請求項５】
前記シールリブは、円弧形状に延びることを特徴とする請求項１から３のいずれか１項に記載の電動送風機。
【請求項６】
前記シールリブおよび前記ファンカバーは一体成形品であることを特徴とする請求項１から５のいずれか１項に記載の電動送風機。
【請求項７】
前記シールリブは、前記羽根車から突出して前記羽根車の回転中心側から離れるにしたがい前記羽根車の回転方向に対する逆方向へ延びることを特徴とする請求項１または２に記載の電動送風機。
【発明の詳細な説明】
【技術分野】
【０００１】
本発明に係る実施形態は電動送風機に関する。
【背景技術】
【０００２】
一般に、電動送風機は、遠心ファンと、遠心ファンを覆う有底円筒形状のファンカバーと、遠心ファンを駆動する電動機と、を備える。ファンカバーは、遠心ファンの吸込口に対面する入口を有する一方、遠心ファンが吐出する空気を電動機へ案内する流路の一部でもある。換言すると、ファンカバーは、遠心ファンの吸込側と吐出側との両方を覆うため、遠心ファンとファンカバーとを隔てる隙間には相対的に圧力の高い吐出側から相対的に圧力の低い吸込側へ向かう空気の逆流が生じる虞がある。この空気の逆流は遠心ファンの回りに環流を生じて電動送風機の効率を低下させる。
【０００３】
そこで、従来の電動送風機は、遠心ファンの吸込口の開口縁とファンカバーの入口の開口縁との間に環状のシール部材を挟み込んで遠心ファンの吐出側から吸込側へ向かう空気の流れを遮断する。遠心ファンは吸込口の開口縁をシール部材に擦りながら回転する。
【０００４】
また、他の電動送風機は、遠心ファンのシュラウドに対面するファンカバーの内面に環状のリブを設けて遠心ファンの吐出側から吸込側へ向かう空気の流れを抑制する。
【先行技術文献】
【特許文献】
【０００５】
【特許文献１】特開２００８−３０９０５７号公報
【特許文献２】特開２００８−１９３８８１号公報
【発明の概要】
【発明が解決しようとする課題】
【０００６】
吸込口の開口縁とシール部材を擦りながら遠心ファンを回転する従来の電動送風機は、遠心ファンとシール部材との摩擦に起因する機械的損失を生じる。
【０００７】
他方、単なる環状のリブによりラビリンスシール様のシール構造を備える従来の電動送風機は、環状リブと遠心ファンとを隔てる微小な隙間を有するため、完全に漏洩を防ぐことは難しい。
【０００８】
そこで、本発明は、遠心ファンとファンケースとの相対的な回転運動を利用して遠心ファンの吐出側から遠心ファンとファンカバーとを隔てる隙間を通じて遠心ファンの吸込側へ向かう空気の逆流を抑制し、吸込性能の低下をより抑制可能な電動送風機を提案する。
【課題を解決するための手段】
【０００９】
前記の課題を解決するため本発明の実施形態に係る電動送風機は、羽根車と、隙間を隔てて前記羽根車を覆うとともに前記羽根車に空気を案内する入口を有するファンカバーと、前記隙間に位置して前記羽根車の回転中心線に対して径方向へ延びつつ湾曲するシールリブと、を備えることを特徴とする。
【図面の簡単な説明】
【００１０】
【図１】本発明の第１実施形態に係る電動送風機を示す縦断面図。
【図２】本発明の第１実施形態に係る電動送風機の遠心ファンとシールリブとを示す正面図。
【図３】本発明の第１実施形態に係る電動送風機のファンカバーを示す斜視図。
【図４】本発明の第１実施形態に係る電動送風機の遠心ファンとシールリブとの他の例を示す正面図。
【図５】本発明の第１実施形態に係る電動送風機のファンカバーの他の例を示す斜視図。
【図６】本発明の第２実施形態に係る電動送風機を示す縦断面図。
【図７】本発明の第２実施形態に係る電動送風機の遠心ファンとシールリブとを示す正面図。
【図８】本発明の第２実施形態に係る電動送風機の遠心ファンを示す斜視図。
【図９】本発明の第２実施形態に係る電動送風機の遠心ファンとシールリブとの他の例を示す正面図。
【図１０】本発明の第２実施形態に係る電動送風機の遠心ファンの他の例を示す斜視図。
【発明を実施するための形態】
【００１１】
本発明に係る電動送風機の実施形態について図面を参照して説明する。
【００１２】
［第１の実施形態］
本発明に係る電動送風機の第１実施形態について図１から図５を参照して説明する。
【００１３】
図１は、本発明の第１実施形態に係る電動送風機を示す縦断面図である。
【００１４】
図１に示すように、本実施形態に係る電動送風機１は、電動送風機ケース３と、複数の羽根５を有する遠心ファン６と、遠心ファン６の周囲を囲んで羽根５を臨む複数の上流整流板８を有する整流板９と、遠心ファン６を回転駆動するモータ部１１と、を備える。
【００１５】
また、電動送風機１は、電動送風機ケース３と遠心ファン６との隙間１２に位置するシールリブ１３を備える。
【００１６】
電動送風機ケース３は電動送風機１の外殻である。電動送風機ケース３は、隙間１２を隔てて遠心ファン６および整流板９を覆うとともに遠心ファン６の回転中心線Ｃと略同心に位置して遠心ファン６へ空気を案内する第二吸込口１６（入口）を有するファンカバー１７と、モータ部１１を覆うとともに吐出口１８を有する電動機ケース１９と、電動送風機ケース３内に遠心ファン６、整流板９およびモータ部１１の回転子２１を支える整流板支持体２２と、を備える。
【００１７】
なお、説明を容易にするために以下、遠心ファン６の回転中心線Ｃの第二吸込口１６側を前方として電動送風機１の前後の方向説明を行う。図１中、実線矢Ｘは、電動送風機１の後方から前方に向かう。
【００１８】
ファンカバー１７は、後側の底部を開放する開口２３を有する有底円筒形状の外殻である。ファンカバー１７は、前側にある底壁２５の略中央に第二吸込口１６を有する。第二吸込口１６は、電動送風機１の外部から遠心ファン６へ空気を案内する開口であり、遠心ファン６の回転中心線Ｃと略同心の円形状の開口である。
【００１９】
電動機ケース１９は、前方側の底部を開放する開口２６を有する有底円筒形状の外殻である。電動機ケース１９は、開口２６の縁部に連接して径方向外側に延びるフランジ部３１を備える。また、電動機ケース１９は、後側にある底壁２７の略中央から後方へ向かって突出する円筒形状のモータヘッド部２８を備える。モータヘッド部２８は、内周面にベアリング２９を保持する。さらに、電動機ケース１９は、円筒形状の側壁３２の後半部に複数の吐出口１８を有する。
【００２０】
電動送風機ケース３は、ファンカバー１７の開口２３に電動機ケース１９のフランジ部３１を嵌め込んで内外の空間を仕切る。
【００２１】
整流板支持体２２は、電動機ケース１９の開口２６に架かる板材である。整流板支持体２２は開口２６の一部を塞ぐものであり、開口２６のうち整流板支持体２２が塞いでいない非閉塞部分によってファンカバー１７内側の空間と電動機ケース１９内側の空間とを流体的に接続する。
【００２２】
また、整流板支持体２２は、ファンカバー１７内に整流板９を直接的に保持し、ベアリング３３を介してロータ軸３５、ひいては遠心ファン６およびモータ部１１の回転子２１を電動機ケース１９内に支える。整流板支持体２２は、遠心ファン６の回転中心線Ｃを中心にして前方へ向かって突出する円筒形状の軸受保持部３６を備える。軸受保持部３６は、内周面にベアリング３３を保持する。軸受保持部３６は、ロータ軸３５が貫き通る貫通口３７を有する。
【００２３】
遠心ファン６は羽根車である。遠心ファン６は、円板状の第一板３９と、略中央に第一吸込口４１を有して第一板３９から離間する環状の第二板４２と、第一板３９と第二板４２との間に延びる複数の羽根５と、を備える。遠心ファン６は、羽根５の出口角度が後ろ向きのターボファンである。
【００２４】
第一板３９は、所謂後シュラウドであり、略中央にモータ部１１から延びるロータ軸３５に遠心ファン６全体を固定する嵌挿孔４３を有する。
【００２５】
第二板４２は、所謂前シュラウドであり、第一吸込口４１を内周とし、第一板３９と略同等の外径を有する円環形状の板である。第二板４２は、第一吸込口４１の開口縁である内周縁４２ａをファンカバー１７の第二吸込口１６の近くに位置し、外周かつ後方へ向かって緩やかに拡開するラッパ形状の湾曲板である。第一吸込口４１は、ファンカバー１７の第二吸込口１６に相対し、遠心ファン６の回転中心線Ｃと略同心の円形状の開口であり、第二吸込口１６よりも若干大きい。
【００２６】
羽根５は動翼である。羽根５は、第一吸込口４１の開口縁（すなわち第二板４２の内周縁４２ａ）から第一板３９および第二板４２の外周に至る環状の領域に位置し、第一板３９および第二板４２の略中心を通る回転中心線Ｃの径方向（直交方向）へ放射状に延びる。羽根５は、回転中心線Ｃ方向から見ると渦巻状に湾曲し、互いに略等間隔に離間する。なお、第一板３９、第二板４２および羽根５が囲んで仕切る流路を翼間流路４５と呼び、第一吸込口４１から翼間流路４５に至る流路を入口流路４６と呼ぶ。
【００２７】
なお、遠心ファン６は、羽根５が巻く渦の反対方向に回転する。
【００２８】
モータ部１１は、電動機ケース１９内にあり前後方向に延びるロータ軸３５と、ロータ軸３５に回転一体の回転子２１と、電動機ケース１９に固定されて回転子２１の周囲を囲む固定子４８と、電動機ケース１９の側部を貫いてロータ軸３５を挟み込む一対のブラシ機構４９と、を備える。
【００２９】
ロータ軸３５は、ベアリング２９、３３によって回転中心線Ｃ上に回転可能に支持される。
【００３０】
一対のブラシ機構４９は、回転子２１の整流子５１を挟み込んで対向する。それぞれのブラシ機構４９は、整流子５１に接するカーボンブラシ５２と、カーボンブラシ５２を出没可能に保持するブラシ保持器５３と、を備える。ブラシ保持器５３は、整流子５１にカーボンブラシ５２を押し付けて互いの導通を得る。
【００３１】
整流板９は、遠心ファン６と整流板支持体２２との間に位置して遠心ファン６が吐出する空気を電動機ケース１９内へ円滑に導く。整流板９は、略円板形状の整流板本体５６と、整流板本体５６の遠心ファン６側の面（前面）に延びる複数の上流整流板８と、整流板本体５６のモータ部１１側の面（後面）に延びる複数の下流整流板５７と、を備える。整流板９は、ファンカバー１７の内径よりも若干小さい径寸法を有し、整流板９とファンカバー１７との間に隙間を隔てる。この隙間は、上流整流板８の外周から吐出する空気を下流整流板５７へ案内する。
【００３２】
整流板本体５６は、遠心ファン６の直径よりも大きい直径を有する。整流板本体５６は、整流板支持体２２の軸受保持部３６を嵌め込む略円形状の貫通孔６８を有する。
【００３３】
上流整流板８は静翼である。上流整流板８は、遠心ファン６の外周から若干離間して遠心ファン６の周囲を囲み、羽根５あるいは翼間流路４５を臨む。それぞれの上流整流板８は、整流板本体５６から電動送風機１の前方に向かって略垂直に突出する。上流整流板８は、回転中心線Ｃ方向から見ると渦巻状に湾曲し、互いに略等間隔に並んで延びる。
【００３４】
それぞれの上流整流板８が挟む空間は、遠心ファン６が吐出する空気を整流板９の外周側へ導き、次第に幅広となる案内風路６９である。上流整流板８が巻く渦の方向は、羽根５が巻く渦の反対方向を向く。
【００３５】
下流整流板５７は、整流板本体５６の外周側に位置する。それぞれの下流整流板５７は、整流板本体５６から電動送風機１の後方に向かって略垂直に突出する。それぞれの下流整流板５７は、回転中心線Ｃ方向から見ると渦巻状に湾曲し、互いに略等間隔に離間して延びる。
【００３６】
それぞれの下流整流板５７が挟む空間は、整流板９とファンカバー１７との隙間から電動機ケース１９へと空気を導く流過風路６１である。下流整流板５７が巻く渦の方向は、上流整流板８が巻く渦の逆方向を向く。
【００３７】
シールリブ１３は、ファンカバー１７の底壁２５から突出して遠心ファン６に向かって延びる。シールリブ１３およびファンカバー１７は一体成形品である。シールリブ１３は隙間１２の気密性を高めるラビリンスシール様のシール構造を兼ねる。
【００３８】
さらに、電動送風機１は、遠心ファン６の第一吸込口４１の開口縁とファンカバー１７の第二吸込口１６の開口縁との間に位置する環状部材６２を備える。環状部材６２は、遠心ファン６の第一吸込口４１の開口縁とファンカバー１７の第二吸込口１６の開口縁との隙間を狭くして隙間１２から遠心ファン６の吸気側へ空気が流れ込むことを阻害する。環状部材６２は、ファンカバー１７に固定される。なお、環状部材６２と遠心ファン６とは、従来の電動送風機のシール部材のように強く押し当たる必要は無く、軽く触れているか僅かに隙間が空いていても良い。
【００３９】
図２は、本発明の第１実施形態に係る電動送風機の遠心ファンとシールリブとを示す正面図である。
【００４０】
図３は、本発明の第１実施形態に係る電動送風機のファンカバーを示す斜視図である。
【００４１】
図２および図３に示すように、本実施形態に係る遠心ファン６は、羽根５の出口角度が後ろ向きのターボファンであり、羽根５が巻く渦の反対方向（図２中の実線矢ｒの方向）に回転する。上流整流板８が巻く渦の方向は、羽根５が巻く渦の反対方向を向く。
【００４２】
そして、シールリブ１３は遠心ファン６の回転中心線Ｃに対して径方向へ延びつつ周方向へ湾曲する。シールリブ１３は、遠心ファン６の回転にともない第二吸込口１６側から遠心ファン６の吐出側（すなわち外周側）へ向かう空気流を生じる方向へ湾曲する。具体的には、シールリブ１３は、遠心ファン６の回転中心線Ｃ側から離れるにしたがい遠心ファン６の回転する方向へ延びる。さらに具体的には、シールリブ１３は、螺旋形状に延びる。
【００４３】
次に、実施形態に係る電動送風機１の他の例を説明する。
【００４４】
図４は、本発明の第１実施形態に係る電動送風機の遠心ファンとシールリブとの他の例を示す正面図である。
【００４５】
図５は、本発明の第１実施形態に係る電動送風機のファンカバーの他の例を示す斜視図である。
【００４６】
図４および図５に示すように、本実施形態に係るシールリブ６３は、シールリブ１３と同様にファンカバー１７の底壁２５から遠心ファン６に向かって延びる。シールリブ６３およびファンカバー１７は一体成形品である。シールリブ６３は隙間１２の気密性を高めるラビリンスシール様のシール構造を兼ねる。
【００４７】
また、シールリブ６３は遠心ファン６の回転中心線Ｃに対して径方向へ延びつつ周方向へ湾曲する。シールリブ６３は、遠心ファン６の回転にともない遠心ファン６の吸込側から遠心ファン６の吐出側（すなわち外周側）へ向かう空気流を生じる方向へ湾曲する。具体的には、シールリブ６３は、遠心ファン６の回転中心線Ｃ側から離れるにしたがい遠心ファン６の回転する方向へ延びる。さらに具体的には、シールリブ６３は、円弧形状に延びる。
【００４８】
本実施形態に係る電動送風機１は、電源の供給を得てモータ部１１を駆動しロータ軸３５を介して遠心ファン６を回転する。そうすると、遠心ファン６は回転中心線Ｃ上にある第一吸込口４１から入口流路４６へ空気を吸い込み翼間流路４５から上流整流板８へ向かって空気を吐出する。このとき、遠心ファン６の吸込側の圧力は遠心ファン６の吐出側の圧力よりも低いため、遠心ファン６の吐出側から電動送風機ケース３と遠心ファン６との隙間１２を通じて遠心ファン６の吸込側へ空気が逆流しようとする。
【００４９】
そこで、本実施形態に係る電動送風機１は、隙間１２に遠心ファン６の吸込側から遠心ファン６の吐出側へ向かう空気流を生じる方向へ湾曲するシールリブ１３、６３を備える。シールリブ１３、６３は、隙間１２内の空気を遠心ファン６の吸込側から吐出側へ流動させることで、遠心ファン６の吸込側圧力と吐出側圧力との差圧による空気の逆流、ひいては遠心ファン６における環流を防ぐ。このことから、本実施形態に係る電動送風機１は、従来の電動送風機のように遠心ファン６とファンカバー１７との間に挟まるシール部材を必要としない。すなわち、本実施形態に係る電動送風機１は、従来の電動送風機のような遠心ファン６とシール部材との摩擦に起因する機械的損失を生じない。
【００５０】
なお、シールリブ１３、６３による逆流防止の効果は、この逆流を阻害可能であれば良く、逆流を完全に阻止する程度の空気流を生じるものに限らない。
【００５１】
［第２の実施形態］
本発明に係る電動送風機の第２実施形態について図６から図１０を参照して説明する。
【００５２】
本実施形態に係る電動送風機１Ａにおいて第１実施形態の電動送風機１と同じ構成には同一の符号を付し、重複する説明は省略する。
【００５３】
図６は、本発明の第２実施形態に係る電動送風機を示す縦断面図である。
【００５４】
図６に示すように、本実施形態に係る電動送風機１Ａは、電動送風機ケース３と遠心ファン６との隙間１２に位置するシールリブ６５を備える。
【００５５】
シールリブ６５は、遠心ファン６の第二板４２から突出してファンカバー１７に向かって延びる。シールリブ６５および第二板４２は一体成形品である。シールリブ６５は隙間１２の気密性を高めるラビリンスシール様のシール構造を兼ねる。
【００５６】
図７は、本発明の第２実施形態に係る電動送風機の遠心ファンとシールリブとを示す正面図である。
【００５７】
図８は、本発明の第２実施形態に係る電動送風機の遠心ファンを示す斜視図である。
【００５８】
図７および図８に示すように、本実施形態に係る遠心ファン６は、羽根５の出口角度が後ろ向きのターボファンであり、羽根５が巻く渦の反対方向（図７中の実線矢ｒの方向）に回転する。上流整流板８が巻く渦の方向は、羽根５が巻く渦の反対方向を向く。
【００５９】
そして、シールリブ６５は遠心ファン６の回転中心線Ｃに対して径方向へ延びつつ周方向へ湾曲する。シールリブ６５は、遠心ファン６の回転にともない第二吸込口１６側から遠心ファン６の吐出側（すなわち外周側）へ向かう空気流を生じる方向へ湾曲する。具体的には、シールリブ６５は、遠心ファン６の回転中心線Ｃ側から離れるにしたがい遠心ファン６の回転方向に対する逆方向へ延びる。さらに具体的には、シールリブ６５は、螺旋形状に延びる。
【００６０】
次に、実施形態に係る電動送風機１Ａの他の例を説明する。
【００６１】
図９は、本発明の第２実施形態に係る電動送風機の遠心ファンとシールリブとの他の例を示す正面図である。
【００６２】
図１０は、本発明の第２実施形態に係る電動送風機の遠心ファンの他の例を示す斜視図である。
【００６３】
図９および図１０に示すように、本実施形態に係るシールリブ６６は、シールリブ６５と同様に遠心ファン６の第二板４２から突出してファンカバー１７に向かって延びる。シールリブ６６および第二板４２は一体成形品である。シールリブ６６は隙間１２の気密性を高めるラビリンスシール様のシール構造を兼ねる。
【００６４】
また、シールリブ６６は遠心ファン６の回転中心線Ｃに対して径方向へ延びつつ周方向へ湾曲する。シールリブ６６は、遠心ファン６の回転にともない第二吸込口１６側から遠心ファン６の吐出側（すなわち外周側）へ向かう空気流を生じる方向へ湾曲する。具体的には、シールリブ６６は、遠心ファン６の回転中心線Ｃ側から離れるにしたがい遠心ファン６の回転する方向へ延びる。さらに具体的には、シールリブ６６は、円弧形状に延びる。
【００６５】
本実施形態に係る電動送風機１Ａは、電源の供給を得てモータ部１１を駆動しロータ軸３５を介して遠心ファン６を回転する。そうすると、遠心ファン６は回転中心線Ｃ上にある第一吸込口４１から入口流路４６へ空気を吸い込み翼間流路４５から上流整流板８へ向かって空気を吐出する。このとき、遠心ファン６の吸込側の圧力は遠心ファン６の吐出側の圧力よりも低いため、遠心ファン６の吐出側から電動送風機ケース３と遠心ファン６との隙間１２を通じて遠心ファン６の吸込側へ空気が逆流しようとする。
【００６６】
そこで、本実施形態に係る電動送風機１Ａは、隙間１２に遠心ファン６の吸込側から遠心ファン６の吐出側へ向かう空気流を生じる方向へ湾曲するシールリブ６５、６６を備える。シールリブ６５、６６は、隙間１２内の空気を遠心ファン６の吸込側から吐出側へ流動させることで、遠心ファン６の吸込側圧力と吐出側圧力との差圧による空気の逆流、ひいては遠心ファン６における環流を防ぐ。このことから、本実施形態に係る電動送風機１Ａは、従来の電動送風機のように遠心ファン６とファンカバー１７との間に挟まるシール部材を必要としない。すなわち、本実施形態に係る電動送風機１Ａは、従来の電動送風機のような遠心ファン６とシール部材との摩擦に起因する機械的損失を生じない。
【００６７】
なお、シールリブ６５、６６による逆流防止の効果は、この逆流を阻害可能であれば良く、逆流を完全に阻止する程度の空気流を生じるものに限らない。
【００６８】
したがって、本実施形態に係る電動送風機１、１Ａによれば、遠心ファン６とファンカバー１７との相対的な回転運動を利用して遠心ファン６の吐出側から遠心ファン６とファンカバー１７とを隔てる隙間１２を通じて遠心ファン６の吸込側へ向かう空気の逆流を抑制し、吸込性能の低下をより抑制できる。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１、１Ａ  電動送風機
３  電動送風機ケース
５  羽根
６  遠心ファン
８  上流整流板
９  整流板
１１  モータ部
１２  隙間
１３  シールリブ
１６  第二吸込口
１７  ファンカバー
１８  吐出口
１９  電動機ケース
２１  回転子
２２  整流板支持体
２３  開口
２５  底壁
２６  開口
２７  底壁
２８  モータヘッド部
２９  ベアリング
３１  フランジ部
３２  側壁
３３  ベアリング
３５  ロータ軸
３６  軸受保持部
３７  貫通口
３９  第一板
４１  第一吸込口
４２  第二板
４２ａ  内周縁
４３  嵌挿孔
４５  翼間流路
４６  入口流路
４８  固定子
４９  ブラシ機構
５１  整流子
５２  カーボンブラシ
５３  ブラシ保持器
５６  整流板本体
５７  下流整流板
６８  貫通孔
６９  案内風路
６１  流過風路
６２  環状部材
６３、６５、６６  シールリブ
【図１】
2013113206.tif 000003
【図２】
2013113206.tif 000004
【図３】
2013113206.tif 000005
【図４】
2013113206.tif 000006
【図５】
2013113206.tif 000007
【図６】
2013113206.tif 000008
【図７】
2013113206.tif 000009
【図８】
2013113206.tif 000010
【図９】
2013113206.tif 000011
【図１０】
2013113206.tif 000012